(57)【特許請求の範囲】
【請求項１】
面格子の窓枠サッシへの取付構造であって、
前記窓枠サッシの一部をなし、窓への取付状態において垂直となる垂直片が嵌まり込むことが可能な凹溝を備えた嵌合部材と、
室内側からのみ操作される取付部材によって前記面格子の一部に取り付けられる第１の保持部材と、
前記嵌合部材を前記サッシに対して離間あるいは近接する方向にのみ移動可能に保持するべく前記第1の保持部材に形成された案内部と、
前記第１の保持部材に固定された塑性変形可能な部材から構成され、塑性変形することで、前記嵌合部材を該嵌合部材の前記凹溝に前記垂直片が嵌り込んだ状態で移動不能に保持する第２の保持部材と、
を備えてなる面格子の窓枠サッシへの取付構造。
【請求項２】
前記第２の保持部材が、窓の外側から作用される力によって塑性変形するように構成されてなる請求項１に記載の面格子の窓枠サッシへの取付構造。
【請求項３】
前記第２の保持部材が前記第１の保持部材に鋲止めにより固定され、このように構成された前記第１の保持部材の内懐に前記嵌合部材が装入されており、前記第１の保持部材に形成された垂直方向の長孔を通して前記嵌合部材の雌ネジ(1)にビス(2)が仮にねじ込まれ、かつ前記第１の保持部材中央の雌ネジ(3)にビス(4)が仮にねじ込まれ、このようにした第１の保持部材、第２の保持部材、嵌合部材を面格子の横桟(E)に装入して取り付け、嵌合部材の両ツノ(8)と横桟(E)との間に窓枠のリブを挟み込み、ビス(2)を締め込み、次いでビス(4)をねじ込んで第２の保持部材に塑性変形を起こすことで、前記嵌合部材を該嵌合部材の前記凹溝に前記垂直片が嵌り込んだ状態で垂直方向に移動不能に保持するようにしてなる請求項１あるいは２のいずれかに記載の面格子の窓枠サッシへの取付構造。
【発明の詳細な説明】
【技術分野】
【０００１】
本発明は、本発明は、防犯機能を備え、住人不在でも建物の外から取付け可能な面格子に関する。
【背景技術】
【０００２】
集合住宅や高層住宅において、建築当初、窓に面格子が取付けられていなかったものが、保安上の理由から、その後に面格子を取付けるようにとの要望が出されるケースが多くなっている。また、防犯の見地から窓サッシに面格子が取付けられることが一般的であるが、面格子が例えばドライバなどで外部から簡単に取り外されるようでは防犯の意味をなさない。
【０００３】
しかしながら一方で、上記のような面格子が内部からしか取り外せないのでは、面格子の交換時などにおける作業性が悪くなる。この場合、住人の在宅時でないと工事を行うことができず、実際、住人の在宅状況を見ると、出張、旅行、その他諸々の理由により全部がそろって在宅していることはあり得ない。このため、計画通り工事が進捗せず、工事業者は作業者を何回も現場に差し向けなければならず極めて効率の悪いこととなる。
【０００４】
こうした状況の下で住宅管理会社や住宅建設会社などから、住人の在・不在にかかわらず建物の外から取り付けることが可能で、かつ、取り付けられた後は外部から容易に外すことができない防犯機能を備えた面格子の提供が要望されている。
【０００５】
そこで、本出願人は、平成２２年１２月２２日付け特許出願で「外部から取付け可能な面格子」を提案した。しかし、この提案に係る「外部から取付け可能な面格子」の実証試験を行った結果、面格子の破壊工作に対する強度が極めて弱いことが判明した。
【０００６】
上述のように、本発明に関連する従来の技術を出願人の知得した一般的技術情報に基づいて説明したが、出願人は、本発明の特徴に直接関連した内容が開示されている先行技術文献を現段階では認識していないため、本明細書では、先行技術文献情報として特定の文献を挙げることをせずに「なし」としたものである。
【先行技術文献】
【特許文献】
【０００７】
【特許文献１】なし
【発明の概要】
【発明が解決しようとする課題】
【０００８】
上記状況に基づき本発明は、既設の住宅の窓枠に住人の在・不在を問わず建物の外から取付け可能にし、一旦取付けた後は容易に外すことができず、破壊工作にも充分耐える外部から取付け可能な面格子の構造を提供することを課題とする。
【課題を解決するための手段】
【０００９】
本発明は、面格子の窓枠サッシへの取付構造であって、
前記窓枠サッシの一部をなし、窓への取付状態において垂直となる垂直片が嵌まり込むことが可能な凹溝を備えた嵌合部材と、
室内側からのみ操作される取付部材によって前記面格子の一部に取り付けられる第１の保持部材と、
前記嵌合部材を前記サッシに対して離間あるいは近接する方向にのみ移動可能に保持するべく前記第1の保持部材に形成された案内部と、
前記第１の保持部材に固定された塑性変形可能な部材から構成され、塑性変形することで、前記嵌合部材を該嵌合部材の前記凹溝に前記垂直片が嵌り込んだ状態で移動不能に保持する第２の保持部材と、
を備えてなる。
【００１０】
また、前記第２の保持部材が、窓の外側から作用される力によって塑性変形する構成を採用することも可能である。
【発明の効果】
【００１１】
本発明によれば、いったん取り付けた面格子は、前記第２の保持部材を塑性変形（壊して取り除く）させないと前記嵌合部材を窓枠サッシから取り外すことができない。このような塑性変形をさせるには電気ドリルなどで嵌合部材を強制的に破壊する必要があるが、嵌合部材の破壊には相当大きい音が生じるので、近所に知られずに面格子を外すことが難しく、防犯機能の高い面格子を提供できる。
【図面の簡単な説明】
【００１２】
【図１】実施の形態１の面格子の窓枠サッシへの取付構造を説明する概略説明図である。
【図２】同組み立てを説明した斜視図である。
【図３】同組み立ての各段階での縦断面・横断面図である。
【図４】実施の形態２の面格子の窓枠サッシへの取付構造について組み立てを説明した斜視図である。
【図５】同組み立ての各段階での縦断面・横断面図である。
【図６】他の実施の形態の部品Ｂ、Ｃ又は部品Ｗ、Ｘを示す斜視図である。
【発明を実施するための形態】
【００１３】
実施の形態１．
次に、本発明に係る面格子の窓枠サッシへの取付構造の実施の形態１について、図面を参照しながら説明する。図１は窓枠サッシＳに本発明に係る面格子Ｍを取り付ける動作の概略説明図で、面格子Ｍをやや斜め状態にし、その下部を窓枠サッシＳの下片に当てがい、面格子Ｍの上部を矢印で示すように起こした状態で面格子Ｍ全体をやや持ち上げておろす所謂テンドン動作を行うことによって窓枠サッシＳに本発明に係る面格子Ｍが取り付けられる。図に示すように、垂直に取り付けられた面格子Ｍの図において左側が室外（外部と表示）であり、右側が室内（部屋内と表示）である。この状態で、以下に述べる方法で、面格子Ｍが窓枠サッシＳに固定される。
【００１４】
図２は、実施の形態１の要部斜視図で、（内）で表されるように手前側が室内側であり、（外）で表されるように奥側が室外側である。この実施例では、面格子Ｍに固定される第1の保持部材の一例である部品Ａに、第２の保持部材の一例である部品ＢおよびＣをその端部で鋲Ｂ１，Ｃ１止めによって予め固定されている事例が示される。
【００１５】
この部品Ａの内懐に嵌合部材の一例である部品Ｄが装入される。即ち、部品Ａの内面Ａ１に部品Ｄの裏面Ｄ１を当て、その状態で部品Ａの長孔ｈを通して部品Ｄの雌ネジ１にビス２を仮に（緩く）ねじ込み、更に部品Ａ中央の雌ネジ３にビス４を軽くねじ込む。これによって部品Ａ、部品Ｄ、および部品Ａに鋲Ｂ１，Ｃ１で固定された部品ＢとＣが、緩く一体化される。この状態でビス４をねじ込めば、部品ＢおよびＣは、図２の○内に示されているように、曲げ起こされることになるが、この時点ではビス４は、上記のように緩く仮締めされているだけである。
【００１６】
このように組み立てた部品Ａ、Ｂ、Ｃ、Ｄを面格子Ｍの横桟Ｍ１の下向きに開放された空間Ｍ２に下方から装入し、バカ孔５を通してビス６を室内側から部品Ａの雌ネジ７にねじ込んで、部品Ａおよびこれと一体化された部品Ｂ、Ｃ、Ｄを横桟Ｍ１に取り付ける。この時点では、部品Ｄはビス２が強く締められていないので、部品Ａに対して部品Ａに形成された垂直方向（図１の上下方向）に長孔ｈの長さの分だけ自在に移動可能である。上記長孔ｈが、本発明における案内部の一例である。この場合、長孔ｈは垂直方向である。この状態の詳細が、図３（ａ）に示されている。図３の下段は上記のように組み立てられた部品Ａ〜Ｄを上から見た平面図であり、上段は、その中央横断面図である。図３（ａ）の状態では、図に示されるようにビス２および４はいずれも緩く締められている。図３の上段の図に明らかなように、部品Ｄの本体部とツノ８との間には、本発明における凹溝Ｄ２の一例が形成されている。
【００１７】
上記のような図３（ａ）の状態においては、前記したように、ビス２の締め付けが緩いので、部品Ｄは部品Ａに対して垂直方向（図３の上段の断面図において上下方向）に長孔ｈの長さの分だけ自在に移動可能であるので、操作者は、部品Dを上方に移動させることができる。このようにすることで横桟Ｍ１（の空間Ｍ２）に取り付けた部品Ａ〜Ｄの部品Ｄを持ち上げてその両ツノ８を図３（ｂ）に示すように窓枠サッシＳのリブＳ１（垂直片の一例、図１参照。）に対向させ、リブＳ１を凹溝Ｄ１に挿入することができる。図１はこのように挿入された状態を示している。操作者は、この状態でビス２を横桟Ｍ１の長孔９および部品Ａの長孔ｈを通して雌ネジ１に締め込む。このように、持ち上げられた部品Ｄのツノ８，８と面格子Ｍとの間に窓枠サッシＳのリブＳ１が嵌りこみ、その状態でビス２によって部品Ｄが部品Ａに固定されることで、窓枠サッシＳのリブＳ１は、部品Ｄのツノ８，８と面格子Ｍとの間に挟まれた状態で固定され、部品Ｄおよびこれに一体の部品Ａ、さらにこれらの部品が取り付けられた面格子Ｍが窓枠サッシＳから外れることができないようになる。ただし、この固定状態は、外部から操作自在のビス２によって部品Ｄが部品Ａに固定されていることで保持されているので、何人かがドライバなどによってビス２を緩めれば、部品Ｄは部品Ａに対して上下方向に移動自在になり、これによって面格子Ｍは簡単に外されてしまうので、防犯が不完全である。このようなことになるのは、ビス２を緩めれば部品Ｄが部品Ａに対して簡単に上下方向に移動自在になるからである。この実施の形態１では、下記する方法によって、ビス２が緩められても部品Ｄが部品Ａに対して簡単には移動できないようにすることで、防犯を達成する。
【００１８】
即ち、この実施の形態１では、次いでビス４をねじ込んで部品ＢとＣの先端を起こして、即ち塑性変形させて、これに部品Ｄを下から当接させ、部品Ｄが落ち込まない、即ち下方向に移動できないようにする。図２の○内に、部品Ａに固定された部品ＢおよびＣをビス４によって曲げ起こすという塑性変形を生じさせている状態を示す。
【００１９】
このようにすることにより部品ＢとＣは合掌状態になりこれらに遮られて部品Ｄが部品Ａの懐の中に落ち込まないようになり、ビス４を除去しても、部品Ｄが下方に移動できない状態を維持して、外部から面格子Ｍを取り外すことができなくなる。
【００２０】
もし、外部から面格子を外すにはドリルで鋲止め部分を錐もみして部品Ｂ、Ｃを壊さねばならず大きい音が発生するので、近所に知られずに容易には面格子Ｍをはずせなくなり、不法破壊・不法侵入は極めて困難である。なお、図３の（ａ）から（ｄ）は上記実施の形態における作業の各段階での状態の平面図および横断面図である。
【００２１】
実施の形態２．
前記した実施の形態１は、窓枠サッシＳの水平（横）方向のリブと嵌合部材である部品Ｄのツノ８とが干渉して、面格子Ｍが窓枠サッシＳから離脱しないようにしたものであるが、次に述べる実施の形態２は、窓枠サッシＳの垂直（縦）方向のリブと嵌合部材である部品ＹのツノＹ１とが干渉して、面格子Ｍが窓枠サッシＳから離脱しないようにしたものである。図４は実施の形態２の要部斜視図で、部品Ｖに部品ＷおよびＸが鋲（Ｗ１，Ｘ１）止めされ、この部品Ｖが、面格子Ｚの裏面側に配置され、バカ孔５を通して両端の雌ネジ７に図外のビスをねじ込んでビス止めされる。
【００２２】
面格子Ｚの両端の下面に摺動用長孔Ｚ１が設けられていると共に、面格子Ｚの下端に部品ＹのツノＹ１が嵌る長孔Ｚ２が設けられている。
【００２３】
前記摺動用長孔Ｚ１には部品Ｙの摺動片Ｙ４が嵌り、部品Ｙを摺動・固定可能に案内する。即ち、部品Yの摺動片Ｙ４は長孔Ｚ１に嵌って部品Ｙを摺動可能に案内しており、摺動端において、ツノＹ１が前記長孔Ｚ２に嵌りこむ。なお、摺動片Ｙ４には本体部分との境目後方に切り込みＹ５が形成されており、ツノＹ１が前記長孔Ｚ２に嵌りこむのとは反対側への摺動時に、部品Ｙが面格子Ｚの底板と衝突しないようにしている。
【００２４】
部品Ｙの摺動片Ｙ４が長孔Ｚ１に嵌って摺動し、部品ＹのツノＹ１が前記長孔Ｚ２に嵌りこむ摺動端において、前記ツノＹ１とこれに対向するツノＹ２の間に面格子Ｚの縦桟端面Ｚ３を備えた部材Ｚ５と窓枠サッシＳのリブＳ１とが挟み込まれる。図４の（ｂ）には、ツノＹ１が長孔Ｚ２に嵌りこむ前の状態が破線で、部品Ｙが矢印で示した方向に摺動してツノＹ１が長孔Ｚ２に嵌り込んだ状態が実線で描かれている。この状態で、摺動用長孔Ｚ１の裏側からビス２をねじ込んで部品Ｙを部品Ｖに仮止めし、その後、ビス４をねじ込んで部品Ｗ、Ｘのツノ片先端を起こすことで、部品ＹのツノＹ１，Ｙ２が、窓枠サッシＳのリブＳ１を面格子Ｚの縦桟端面Ｚ３を備えた部材Ｚ５から離れさせないようになっている。
【００２５】
なお、部品Ｙの摺動片Ｙ４には雌ネジＹ３が設けられ、ビス２が部品Ｖの窓ｕを通して螺合するようになっており、ビス２が締めこまれることで、部品Ｙが部品Ｖに固定される。
【００２６】
図５の（ａ）から（ｄ）は上記実施の形態における作業の各段階での状態の平面図および横断面図である。実施例２においては、本発明における「凹溝」には、「ツノＹ１」が相当し、「凹溝を備えた嵌合部材」、「第１の保持部材」、「案内部」、「第２の保持部材」には、それぞれ、「部品Ｙ」、「部品Ｖ」、「長孔Ｚ１」、「部品Ｘ，Ｗ」が相当する。
【００２７】
なお、図６は部品Ｂ、Ｃおよび部品Ｗ、Ｘの他の実施の形態を示し、ビス４を押し込むことにより孔と突起が互いに嵌りあい、合掌状態を維持する構造となっている。
【００２８】
上記のような実施の形態２においては、図５（ａ）の状態において、前記したように部品Ｙは面格子Ｚに対して水平方向（図５の下段の平面図において上下方向）に長孔Ｚ１の長さの分だけ自在に移動可能であるので、操作者は、部品Ｙを窓枠シャーシＳのリブＳ１に近づく方向（水平方向）に移動させることができる。このようにすることで面格子Ｚに部品Ｖを介して取り付けられた部品Ｙを長孔Ｚ１に沿って摺動させ、部品ＹのツノＹ１を長孔Ｚ２に挿入する。これにより、窓枠シャーシＳのリブＳ１がツノＹ１とＹ２の間に挟まれて、面格子Ｚから矢印Ｎ１で示す方向に外れることができなくなる。操作者は、この状態でビス２を部品Ｖの長孔ｕを通して雌ネジＹ３に締め込む。このように、長孔Ｚ１の端部まで移動した部品ＹのツノＹ２と面格子Ｚの部材Ｚ５との間に窓枠サッシＳのリブＳ１が嵌りこみ、その状態でビス２によって部品Ｙが部品Ｖに固定されることで、窓枠サッシＳのリブＳ１は、部品ＤのツノＹ１，Ｙ２と面格子Ｚとの間に挟まれた状態で固定され、部品Ｙおよびこれに一体の部品Ｖ、さらにこれらの部品が取り付けられた面格子Ｚが窓枠サッシＳから外れることができないようになる。ただし、この固定状態は、外部から操作自在のビス２によって部品Ｙが部品Ｖに固定されていることで保持されているので、何人かがドライバなどによってビス２を緩めれば、部品Ｙは部品Ｖに対して水平方向に移動自在になり、これによって面格子Ｚは簡単に外されてしまうので、防犯が不完全である。このようなことになるのは、ビス２を緩めれば部品Ｙが部品Ｖに対して簡単に水平方向に移動自在になるからである。この実施の形態２では、次に述べる方法によって、ビス２が緩められても部品Ｙが部品Ｖに対して簡単には移動できないようにすることで、防犯を達成する。
【００２９】
即ち、この実施の形態２では、次いでビス４をねじ込んで部品ＸとＷの先端を起こして、即ち塑性変形させて、これに部品Ｙの摺動片Ｙ４を当接させ、部品Ｙが後退しない、即ち水平方向に移動できないようにする。図５の○内に、部品Ｙに固定された部品ＸおよびＷをビス４によって曲げ起こすという塑性変形を生じさせている状態を示す。
【００３０】
このようにすることにより部品ＸとＷは合掌状態になりこれに遮られて部品Ｙが部品Ｖに沿って後退できないようになり、ビス４を除去しても、その状態を維持して外部から面格子Ｍを取り外すことができなくなる。
【００３１】
もし、外部から面格子を外すにはドリルで鋲止め部分を錐もみして部品Ｂ、Ｃを壊さねばならず大きい音が発生するので、近所に知られずに容易には面格子Ｍをはずせなくなり、不法破壊・不法侵入は極めて困難である。
【産業上の利用可能性】
【００３２】
本発明によれば、入居後の集合住宅・高層住宅において、住人の在宅・不在宅に関係なく面格子の取り付け工事が可能になる。それ故、工程表通りに工事が進められると共に足場の設置期間短縮や屋内への施工機材の搬入が不要になるなど、とりわけ人件費の大幅な節約となる。また、取付け部の破壊強度が大きく向上し不法破壊・不法侵入の防止効果が一段と向上し、産業上利用価値の極めて大きいものである。
【符号の説明】
【００３３】
１、３、７  雌ネジ
２、４、６  ビス
５  バカ孔
８  ツノ
９  長孔
Ａ、Ｂ、Ｃ、Ｄ、Ｖ、Ｗ、Ｘ、Ｙ、Ｚ  部品
Ｅ  横桟(面格子の)
Ｙ１、Ｙ２  ツノ
Ｙ４  摺動片
Ｚ１  摺動用長孔
Ｚ２  長孔
Ｚ３  縦桟の端面
【図１】
0005307865.tif 000002
【図２】
0005307865.tif 000003
【図３】
0005307865.tif 000004
【図４】
0005307865.tif 000005
【図５】
0005307865.tif 000006
【図６】
0005307865.tif 000007